(57)【要約】  温度センサー（４２１）、湿度センサー、照度センサー、その他各種環境条件をセンシングするセンサーからなる群から選択される少なくとも一のセンサーと、センサー（４２１）からの出力値を処理するコントローラー（４１）と、コントローラー（４１）からの信号を無線発信するアンテナ（４３）と、一次電池（４０）とを、可撓性回路基板（２０）上に備え、第一の粘着剤層（１０）と、可撓性回路基板（２０）と、可撓性シート（５０）とが、積層されてなる無線センサー装置（１）。
2019155732.tif 000002
【特許請求の範囲】
【請求項１】
温度センサー、湿度センサー、照度センサー、その他各種環境条件をセンシングするセンサーからなる群から選択される少なくとも一のセンサーと、前記センサーからの出力値を処理するコントローラーと、前記コントローラーからの信号を無線発信するアンテナと、一次電池とを、可撓性回路基板上に備え、
第一の粘着剤層と、前記可撓性回路基板と、可撓性シートとが、積層されてなる無線センサー装置。
【請求項２】
前記第一の粘着剤層が再剥離性を有する、請求項１に記載の無線センサー装置。
【請求項３】
少なくとも前記センサー、前記コントローラー及び前記アンテナを保護する保護層を備える、請求項１又は２に記載の無線センサー装置。
【請求項４】
前記保護層が、前記可撓性回路基板と前記可撓性シートとの間に積層されている、請求項３に記載の無線センサー装置。
【請求項５】
前記一次電池がコイン型一次電池である、請求項１〜４のいずれか一項に記載の無線センサー装置。
【請求項６】
前記可撓性回路基板と、前記可撓性シートとの間に、再剥離性を有する第二の粘着剤層を備え、前記一次電池を交換可能に備える、請求項１〜５のいずれか一項に記載の無線センサー装置。
【請求項７】
前記可撓性回路基板と前記第二の粘着剤層との間に、少なくとも前記センサー、前記コントローラー及び前記アンテナを保護する保護層を備え、前記保護層及び前記第二の粘着剤層が、前記一次電池を収める空間が設けられるようにくり抜かれている、請求項６に記載の無線センサー装置。
【請求項８】
前記コントローラーが、前記センサーのセンシングタイミング、及び、前記信号の送信タイミングを制御する機能を有する、請求項１〜７のいずれか一項に記載の無線センサー装置。
【請求項９】
前記可撓性シートの外周部又は前記可撓性回路基板の外周部に、前記無線センサー装置を貼り付ける時に押圧可能な押圧可能領域が設けられ、前記押圧可能領域は前記センサー、前記コントローラー、前記アンテナ及び前記一次電池が、いずれも実装されない領域であり、前記押圧可能領域にのみ、前記第一の粘着剤層が積層されている、請求項１〜８のいずれか一項に記載の無線センサー装置。
【請求項１０】
前記センサーが、支え部材を介して浮いた状態で設けられている、請求項１〜９のいずれか一項に記載の無線センサー装置。
【請求項１１】
前記第一の粘着剤層と、前記可撓性回路基板と、前記可撓性シートとが、この順に積層されてなり、
前記センサー、前記コントローラー、前記アンテナ及び前記一次電池が、前記可撓性回路基板及び前記可撓性シートに挟まれてなる、請求項１〜１０のいずれか一項に記載の無線センサー装置。
【請求項１２】
前記第一の粘着剤層と、前記可撓性シートと、前記可撓性回路基板とが、この順に積層されてなり、
前記センサー、前記コントローラー、前記アンテナ及び前記一次電池が、前記可撓性回路基板及び前記可撓性シートに挟まれてなる、請求項１〜９のいずれか一項に記載の無線センサー装置。
【請求項１３】
前記第一の粘着剤層よりも大きい接着面積を有する第三の粘着剤層及び基材シートを有する粘着シートを、更に備え、
前記第一の粘着剤層は、前記基材シートの背面に積層されている、請求項１〜１２のいずれか一項に記載の無線センサー装置。
【請求項１４】
温度センサー、湿度センサー、照度センサー、その他各種環境条件をセンシングするセンサーからなる群から選択される少なくとも一のセンサー、前記センサーからの出力値を処理するコントローラー、前記コントローラーからの信号を無線発信するアンテナ及び一次電池が、可撓性回路基板及び可撓性シートに挟まれてなる無線センサー装置と、
前記無線センサー装置を被着体に装着させるための第一の粘着剤層と、
を備える無線センサー装置キット。
【請求項１５】
前記第一の粘着剤層よりも大きい接着面積を有する第三の粘着剤層及び基材シートを有する粘着シートを、更に備える、請求項１４に記載の無線センサー装置キット。
【発明の詳細な説明】
【技術分野】
【０００１】
本発明は、建物等に設置する無線センサー装置に関する。
本願は、２０１８年２月６日に、日本に出願された特願２０１８−０１９１６０号に基づき優先権を主張し、その内容をここに援用する。
【背景技術】
【０００２】
建物の快適性を維持しつつ、エネルギー消費を低減するために、温度、湿度、照度等をセンシングして、その結果を空調装置の制御などに使用するセンサー装置がある。そのようなセンサー装置は、建物内で使用して、冷房、暖房、換気、空調および照明システムの最適な制御に必要な情報を提供することで、建物のエネルギー使用量をより効率的に制御するために使用することができる。【０００３】
従来のセンサーの設置および配線コストは非常に高いので、特に既存のビルディングに高度なセンサーを大量に導入する際、配線に伴うコストを低減するために、無線センサー装置が提案されている。無線センサー装置は、既存の建物を簡単に改築するのに適しており、最適に観測可能な場所に配置することのできる柔軟性がある。現在商品化されている無線センサー装置は、筐体が樹脂ケースとプリント基板で構成されており、一定の厚み（例えば２ｃｍ以上）を有する堅い材質の装置である。【０００４】
特許文献１には、通信システムと、通信システムに通信可能に結合された少なくとも一つのセンサーと、通信システムに電気的に結合された少なくとも一つのアンテナとを含む複数の構成要素が可撓性基板上に配置された無線センサー装置が開示されている。特許文献１には、例えば、太陽電池及び二次電池を内蔵することにより、外部電源も接続させないことができる無線センサー装置の例も開示されている。
【先行技術文献】
【特許文献】
【０００５】
【特許文献１】米国特許出願公開第２０１６／０１３４３２７号明細書
【発明の概要】
【発明が解決しようとする課題】
【０００６】
外部電源を接続させないことのできる無線センサー装置では、一次電池を内蔵する形態が考えられるが、一次電池交換の必要があり、交換作業の手間と費用が問題となる。太陽電池を内蔵する形態、太陽電池に加えて二次電池及び／又は一次電池を内蔵する形態の無線センサー装置では、太陽電池とその周辺部品の搭載費用が高くなること、および太陽電池搭載による意匠性の劣化が問題となる。更に、太陽電池のみを内蔵する形態の無線センサー装置では、夜間等光源の無い状態での動作が問題となる。【０００７】
そこで、本発明は、内蔵電池とその周辺部品の搭載費用を低く抑えることができ、かつ、内蔵電池又は無線センサー装置の交換作業の手間を簡易化でき、その交換作業の費用を低く抑えることができる、無線センサー装置の提供を目的とする。
【課題を解決するための手段】
【０００８】
本発明は、以下の態様を包含するものである。
［１］  温度センサー、湿度センサー、照度センサー、その他各種環境条件をセンシングするセンサーからなる群から選択される少なくとも一のセンサーと、前記センサーからの出力値を処理するコントローラーと、前記コントローラーからの信号を無線発信するアンテナと、一次電池とを、可撓性回路基板上に備え、
第一の粘着剤層と、前記可撓性回路基板と、可撓性シートとが、積層されてなる無線センサー装置。
［２］  前記第一の粘着剤層が再剥離性を有する、前記［１］に記載の無線センサー装置。【０００９】
［３］  少なくとも前記センサー、前記コントローラー及び前記アンテナを保護する保護層を備える、前記［１］又は［２］に記載の無線センサー装置。
［４］  前記保護層が、前記可撓性回路基板と前記可撓性シートとの間に積層されている、前記［３］に記載の無線センサー装置。
［５］  前記一次電池がコイン型一次電池である、前記［１］〜［４］のいずれか一項に記載の無線センサー装置。
［６］  前記可撓性回路基板と、前記可撓性シートとの間に、再剥離性を有する第二の粘着剤層を備え、前記一次電池を交換可能に備える、前記［１］〜［５］のいずれか一項に記載の無線センサー装置。【００１０】
［７］  前記可撓性回路基板と前記第二の粘着剤層との間に、少なくとも前記センサー、前記コントローラー及び前記アンテナを保護する保護層を備え、前記保護層及び前記第二の粘着剤層が、前記一次電池を収める空間が設けられるようにくり抜かれている、前記［６］に記載の無線センサー装置。【００１１】
［８］  前記コントローラーが、前記センサーのセンシングタイミング、及び、前記信号の送信タイミングを制御する機能を有する、前記［１］〜［７］のいずれか一項に記載の無線センサー装置。【００１２】
［９］  前記可撓性シートの外周部又は前記可撓性回路基板の外周部に、前記無線センサー装置を貼り付ける時に押圧可能な押圧可能領域が設けられ、前記押圧可能領域は前記センサー、前記コントローラー、前記アンテナ及び前記一次電池が、いずれも実装されない領域であり、前記押圧可能領域にのみ、前記第一の粘着剤層が積層されている、前記［１］〜［８］のいずれか一項に記載の無線センサー装置。【００１３】
［１０］  前記センサーが、支え部材を介して浮いた状態で設けられている、前記［１］〜［９］のいずれか一項に記載の無線センサー装置。【００１４】
［１１］  前記第一の粘着剤層と、前記可撓性回路基板と、前記可撓性シートとが、この順に積層されてなり、
前記センサー、前記コントローラー、前記アンテナ及び前記一次電池が、前記可撓性回路基板及び前記可撓性シートに挟まれてなる、前記［１］〜［１０］のいずれか一項に記載の無線センサー装置。【００１５】
［１２］  前記第一の粘着剤層と、前記可撓性シートと、前記可撓性回路基板とが、この順に積層されてなり、
前記センサー、前記コントローラー、前記アンテナ及び前記一次電池が、前記可撓性回路基板及び前記可撓性シートに挟まれてなる、前記［１］〜［９］のいずれか一項に記載の無線センサー装置。【００１６】
［１３］  前記第一の粘着剤層よりも大きい接着面積を有する第三の粘着剤層及び基材シートを有する粘着シートを、更に備え、
前記第一の粘着剤層は、前記基材シートの背面に積層されている、前記［１］〜［１２］のいずれか一項に記載の無線センサー装置。【００１７】
［１４］  温度センサー、湿度センサー、照度センサー、その他各種環境条件をセンシングするセンサーからなる群から選択される少なくとも一のセンサー、前記センサーからの出力値を処理するコントローラー、前記コントローラーからの信号を無線発信するアンテナ及び一次電池が、可撓性回路基板及び可撓性シートに挟まれてなる無線センサー装置と、
前記無線センサー装置を被着体に装着させるための第一の粘着剤層と、
を備える無線センサー装置キット。【００１８】
［１５］  前記第一の粘着剤層よりも大きい接着面積を有する第三の粘着剤層及び基材シートを有する粘着シートを、更に備える、前記［１４］に記載の無線センサー装置キット。
【発明の効果】
【００１９】
本発明の無線センサー装置においては、可撓性回路基板及び可撓性シートからなる筐体を第一の粘着剤層で貼着して設置でき、剥がすことも容易にできる。このため、筐体が樹脂ケースとプリント基板で構成された無線センサー装置に比べ、設置及び除去が容易である。更に、内部電源として一次電池を搭載するので、太陽電池を搭載する無線センサー装置に比べて、内蔵電池とその周辺部品の搭載費用を大幅に削減することができる。更に、無線センサー装置は、樹脂ケースとプリント基板で構成された無線センサー装置に比べ、構成する部材の少なさから製造費用を大幅に削減することができるので、無線センサー装置の丸ごとの交換による費用の増加は抑制される。この丸ごとの交換による費用抑制と、設置及び除去の容易性により、従来の無線センサー装置における内蔵電池又は無線センサー装置の交換作業の手間を簡易化でき、その交換作業の費用を低く抑えることができる。
【図面の簡単な説明】
【００２０】
【図１】本発明の第一実施形態の無線センサー装置１を示す概略断面図である。
【図２】本発明の第一実施形態の無線センサー装置１の概略平面図である。
【図３】本発明の第一実施形態の無線センサー装置１が、全体的に可撓性を有することを示す模式図である。
【図４】本発明の第一実施形態の無線センサー装置１を、人の手で剥がして丸ごと交換できることを示す模式図である。
【図５】本発明の第二実施形態の無線センサー装置２を示す概略断面図である。
【図６】本発明の第二実施形態の無線センサー装置２を、人の手で剥がして電池交換できることを示す模式図である。
【図７】本発明の第三実施形態の無線センサー装置３を示す概略断面図である。
【図８】本発明の第三実施形態の無線センサー装置３の表側及び裏側を示す概略図であり、無線センサー装置３を人の手で貼付できることを示している。
【図９】本発明の第三実施形態の変形例の無線センサー装置４を示す概略断面図である。
【図１０】本発明の第三実施形態の変形例の無線センサー装置５を示す概略断面図である。
【図１１】本発明の第四実施形態の無線センサー装置６を示す概略断面図である。
【図１２】本発明の第五実施形態の無線センサー装置７を示す概略断面図である。
【図１３】本発明の第六実施形態の無線センサー装置８を示す概略断面図である。
【図１４】本発明の第六実施形態の変形例の無線センサー装置９を示す概略断面図である。
【図１５】本発明の第七実施形態の無線センサー装置キット８０を示す概略図である。
【図１６】本発明の第七実施形態の変形例の無線センサー装置キット８２を示す概略図である。
【図１７】本発明の第二実施形態の変形例の無線センサー装置２’を示す概略断面図である。
【図１８】本発明の第二実施形態の変形例の無線センサー装置２’を、人の手で剥がして電池交換できることを示す模式図である。
【発明を実施するための形態】
【００２１】
以下、本発明に係る無線センサー装置を、図面に基づいて説明する。
なお、以下の説明で用いる図は、本発明の特徴を分かり易くするために、便宜上、要部となる部分を拡大して示している場合があり、各構成要素の寸法比率等が実際と同じであるとは限らない。
【００２２】
［第一実施形態］
図１は、本発明に係る第一実施形態の無線センサー装置１を示す概略断面図である。
第一実施形態の無線センサー装置１は、温度センサー４２１と、湿度センサー４２２と、照度センサー４２３と、温度センサー４２１、湿度センサー４２２及び照度センサー４２３からの出力値を処理するコントローラー４１と、コントローラー４１からの信号を無線発信するアンテナ４３と、一次電池４０とを、可撓性回路基板２０上に備え、粘着剤層１０と、可撓性回路基板２０と、可撓性シート５０とが、この順に積層されている。温度センサー４２１、湿度センサー４２２、照度センサー４２３、コントローラー４１、アンテナ４３及び一次電池４０は、可撓性回路基板２０及び可撓性シート５０に挟まれている。
【００２３】
図１においては、湿度センサー４２２及び照度センサー４２３の図示を省略している。無線センサー装置の各部品の配置は、限定されない。例えば、図２に示されるような配置で、温度センサー４２１、湿度センサー４２２及び照度センサー４２３と、コントローラー４１と、アンテナ４３と、一次電池４０とを、可撓性回路基板２０上に備えてもよい。無線センサー装置は剥離シート７０を有していてもよく、無線センサー装置を設置するときに剥離シート７０を剥がして使用される。また、粘着剤層・剥離シートを無線センサー装置から分離しておき、無線センサー装置の設置時に取り付けても良い。
【００２４】
第一実施形態の無線センサー装置１は、小型かつ薄型にできており、可撓性の実現に必要な薄さについては、各種センサー、コントローラー、内蔵一次電池の厚みの他は、粘着剤層１０、可撓性回路基板２０、可撓性シート５０の厚みを加えただけの薄さを実現できる。筐体に相当する可撓性回路基板２０及び可撓性シート５０がいずれも可撓性を有しているので、図３に示されるように、無線センサー装置１が全体的に可撓性を有している。そして、剥離シート７０を剥がして、建物の壁や柱等の被着体に、粘着剤層１０で貼着させて容易に設置することができる。また、無線センサー装置１は外気窓４２５を備えており、温度センサー４２１及び湿度センサー４２２は、外気の温度及び湿度を正確に計測できるよう、外気窓４２５に通じている。無線センサー装置１はインジケーター４２４を備える。照度センサー４２３に対応する可撓性シート５０の位置には、照度を正しく計測するために、照度センサー用小窓４２８が設けられている。
【００２５】
可撓性シート５０としては、シート状の素材であればよく、シート５０の素材としては、ポリエチレンテレフタレート（ＰＥＴ）、ポリエチレンナフタレート（ＰＥＮ）、ポリブチレンテレフタレート（ＰＢＴ）等のポリエステル系樹脂、ポリ塩化ビニル、塩化ビニル共重合体等の塩化ビニル系樹脂、ゴム系樹脂やスポンジ系樹脂等が挙げられるが、これらに限られない。
【００２６】
可撓性回路基板２０は、絶縁性を有する薄く柔らかいベースフィルムと銅箔等の導電性金属を貼り合わせた基材に電気回路を形成した基板である。ＰＥＴフィルム、ＰＥＮフィルム、又は、ポリイミドフィルム等のベースフィルムに、例えば、導電性インキの印刷により配線を形成して作製することができる。
【００２７】
また、無線センサー装置１は、太陽電池を搭載せず、内部電源として一次電池を搭載している。一次電池としては、市場に流通している安価な一次電池が好ましく、コイン型一次電池を好適に使用することができる。無線センサー装置１は、可撓性を有する筐体を選択したこと、太陽電池を搭載せず、内部電源として一次電池のみを搭載したことにより、筐体が樹脂ケースとプリント基板で構成された無線センサー装置や、太陽電池を搭載する無線センサー装置に比べて、無線センサー装置の製造費用を大幅に削減することができ、夜間等光源の無い状態での動作が問題となることがない。
【００２８】
無線センサー装置１は、剥離シート７０を剥がして、可撓性を有する筐体を粘着剤層１０で貼着させて設置することができ、図４に示されるように、人の手で剥がして丸ごと交換できるので、交換作業の手間と費用を削減することができる。無線センサー装置１は、交換不能な薄型内蔵一次電池を使用しており、使用後には、無線センサー装置１の本体を剥がして丸ごと交換する使い捨ての使用形態を採用することができ、電池交換作業が不要となる。無線センサー装置１は、前記製造費用を大幅に削減することができるので、無線センサー装置の丸ごとの交換による費用の増加は抑制される。
【００２９】
無線センサー装置は、温度センサー４２１、湿度センサー４２２、照度センサー４２３、その他各種環境条件をセンシングするセンサーからなる群から選択される少なくとも一のセンサーを備える。無線センサー装置は、温度センサー及び湿度センサーを兼ね備える温湿度センサーを備えるものであってもよく、温湿度センサーは外気窓４２５に通じているものであってもよい。温度センサー４２１、湿度センサー４２２、照度センサー４２３、その他各種環境条件をセンシングするセンサー、コントローラー４１、及びアンテナ４３は、前記センサーからの出力値をコントローラー４１に伝え、コントローラー４１からの情報信号を、およびアンテナ４３に伝えるために、電気的に結合し、これらが、通信システムとして機能している。コントローラー４１には、無線センサー装置がこのような通信システムを構成するための制御手段が組み込まれている。温度センサー、湿度センサー及び照度センサーとしては、ＩＣチップに搭載できる種類のセンサーであれば、市販の薄型のセンサーチップを使用することができる。センサーチップからの情報信号は、低消費電力で広いエリアをカバーできるＬＰＷＡ規格が好ましく、通信プロトコルとしては、例えば、ＬｏＲａ方式：Ｃｈｉｒｐ Ｓｐｒｅａｄ Ｓｐｅｃｔｒｕｍ変調が挙げられる。
【００３０】
無線センサー装置において、アンテナ４３は、センサーからの信号を無線発信するものであり、可撓性回路基板上に備えることができる、薄型、平面型、小型又は超小型アンテナに属するものであれば、素材、形状、製法は限られない。
【００３１】
無線センサー装置では、第一の粘着剤層１０が再剥離性を有することが好ましい。第一の粘着剤層１０としては、市販の工業用両面粘着テープを使用することができ、再剥離型の工業用両面粘着テープを使用することがより好ましい。第一の粘着剤層は、例えば、ポリエステル基材の両面に粘着層を有するタイプのものであってもよく、基材を有さないノンキャリアタイプのものであってもよい。第一の粘着剤層１０のうち、両方の側の面を再剥離型の粘着面としてもよく、可撓性回路基板２０の側を汎用型の粘着面とし、他方の側を再剥離型の粘着面とする、片面再剥離型の工業用両面粘着テープを使用することが特に好ましい。無線センサー装置１は、第一の粘着剤層１０のうち可撓性回路基板２０の側を汎用型の粘着面とし、他方の側を再剥離型の粘着面としているので、無線センサー装置１の本体を、第一の粘着剤層１０を介して建物の壁などに貼着することができ、長期間使用した後に剥がす際も、貼着していた建物の壁紙などを傷付けずに、容易にきれいに剥がすことができる。
【００３２】
市販の工業用両面粘着テープとしては、例えば、ＤＩＣ株式会社製のダイタック（ＤＡＩＴＡＣ、登録商標）を使用することができ、片面再剥離型の工業用両面粘着テープとしては、ＤＩＣ株式会社製のダイタック（ＤＡＩＴＡＣ、登録商標）の品番、「♯８８００ＤＲ」、「♯８６１２ＤＦＴ」、「♯８６１６ＤＪ-５０」、「♯８６１６ＤＪクロ（Ｎ）」等が挙げられる。
【００３３】
無線センサー装置１は、温度センサー４２１、湿度センサー４２２、照度センサー４２３、コントローラー４１、アンテナ４３及び一次電池４０を保護する保護層３０を備える。保護層３０は、可撓性回路基板２０と可撓性シート５０との間に積層されており、無線センサー装置１が全体として可撓性を損なわないようゴム又はスポンジからなる素材でできている。保護層３０は、難燃性のゴム又はスポンジからなる素材であることが好ましい。
【００３４】
一次電池４０としては、薄型であることが好ましく、安価に入手できることから、コイン型二酸化マンガンリチウム電池等の、等のコイン型一次電池であることが好ましい。
【００３５】
建物に設置された無線センサー装置において、温度センサーでセンシングされた温度情報、湿度センサーでセンシングされた湿度情報、照度センサーでセンシングされた照度情報を、アンテナ４３を介して、建物設備管理システムに無線送信することができ、冷暖房、換気・空調、照明それぞれのシステムに、最適な制御に必要な情報を提供することで、建物のエネルギー使用量をより効率的に制御するために使用することができる。
【００３６】
本発明に係る無線センサー装置では、運用費用を抑制するために、一次電池の持続時間を長くすることが重要になる。そのため、コントローラー４１には、センシングタイミングおよび送信タイミングの工夫により、消費電力を抑え、内蔵一次電池の持続時間を延ばすための制御手段が組み込まれている。コントローラー４１に組み込まれた制御手段には、例えば、（１）オフィス等では暗い環境でのセンサーデータの送信頻度を少なくする（すなわち、送信間隔を長くする）、（２）消費電力の多いセンサー（例えば、湿度センサー）の測定頻度を、その他のセンサー（例えば、温度センサー）より少なくする、などの設定をすることができ、これにより、一次電池の持続時間を長くして、運用費用を抑制することができる。
【００３７】
［第二実施形態］
図５は、本発明に係る第二実施形態の無線センサー装置２を示す概略断面図である。なお、図５以降の図において、既に説明済みの図に示すものと同じ構成要素には、その説明済みの図の場合と同じ符号を付し、その詳細な説明は省略する。
【００３８】
第二実施形態の無線センサー装置２は、温度センサー４２１と、湿度センサー４２２と、照度センサー４２３と、温度センサー４２１、湿度センサー４２２及び照度センサー４２３からの出力値を処理するコントローラー４１と、コントローラー４１からの信号を無線発信するアンテナ４３と、コイン型の一次電池４４とを、可撓性回路基板２０上に備え、粘着剤層１０と、可撓性回路基板２０と、再剥離性を有する第二の粘着剤層６０と、可撓性シート５０とが、この順に積層されている。温度センサー４２１、湿度センサー４２２、コントローラー４１、アンテナ４３及びコイン型の一次電池４４は、可撓性回路基板２０及び可撓性シート５０に挟まれている。可撓性シート５０を剥がすことで、一次電池４４は交換可能である。図５においては、湿度センサー及び照度センサーの図示を省略している。第二実施形態の無線センサー装置２は外気窓４２５を備えており、温度センサー４２１及び湿度センサー４２２は、外気の温度及び湿度を正確に計測できるよう、外気窓４２５に通じている。第二実施形態の無線センサー装置２は、温度センサー及び湿度センサーを兼ねる温湿度センサーを備えるものであってもよく、温湿度センサーは外気窓４２５に通じているものであってもよい。照度センサー４２３に対応する可撓性シート５０の位置には、照度を正しく計測するために、照度センサー用小窓４２８が設けられている。
【００３９】
第二実施形態の無線センサー装置２も、小型かつ薄型にできている。筐体に相当する可撓性回路基板２０及び可撓性シート５０はいずれも可撓性を有しているので、無線センサー装置２が全体的に可撓性を有している。そして、剥離シート７０を剥がして、建物の壁や柱等の被着体に、粘着剤層１０で貼着させて容易に設置することができる。
【００４０】
無線センサー装置２は、太陽電池を搭載せず、内部電源としてコイン型の一次電池４４を搭載している。無線センサー装置２は、可撓性を有する筐体を選択したこと、太陽電池を搭載せず、内部電源としてコイン型の一次電池のみを搭載したことにより、筐体が樹脂ケースとプリント基板で構成された無線センサー装置や、太陽電池を搭載する無線センサー装置に比べて、無線センサー装置の製造費用を大幅に削減することができ、夜間等光源の無い状態での動作が問題となることがない。
【００４１】
第二の粘着剤層は、市販の再剥離型の工業用両面粘着テープを使用することができ、両方の側の面を再剥離型の粘着面としてもよいが、一方の面のみを再剥離型の粘着面とする片面再剥離型の工業用両面粘着テープを使用することがより好ましい。第二の粘着剤層は、例えば、ポリエステル基材の両面に粘着層を有するタイプのものであってもよく、基材を有さないノンキャリアタイプのものであってもよい。第二の粘着剤層のうち、いずれの側を再剥離型の粘着面としてもよいが、第二の粘着剤層６０は、可撓性回路基板２０の側を汎用型の粘着面とし、可撓性シート５０の側を再剥離型の粘着面としている。第二の粘着剤層６０は、片面再剥離型の両面粘着テープを使用しているので、一次電池４４を容易に交換可能である。
【００４２】
また、第二実施形態の無線センサー装置２は、可撓性回路基板２０と第二の粘着剤層６０との間に、温度センサー４２１、湿度センサー４２２、照度センサー４２３、コントローラー４１及びアンテナ４３を保護する保護層３０を備え、図５及び図６に示す様に、保護層３０及び第二の粘着剤層６０が、一次電池４４を収める空間が設けられるようにくり抜かれている。このような構成を有することにより、ネジ回し等を使用せず、可撓性シート５０の一部を片面再剥離型の第二の粘着剤層６０から人の手で剥がして電池交換し、再び貼着して閉じることができ、電池交換の手間と費用を削減することができる。
【００４３】
無線センサー装置２にも、コントローラー４１には、内蔵一次電池の持続時間を延ばすための制御手段が組み込まれており、コイン型の一次電池４４の持続時間を長くして、運用費用を抑制することができる。
【００４４】
図１７は、本発明に係る第二実施形態の変形例の無線センサー装置２’を示す概略断面図である。
第二実施形態の変形例の無線センサー装置２’は、無線センサー装置２と同様に、温度センサー４２１と、湿度センサーと、照度センサーと、コントローラー４１と、アンテナ４３と、コイン型の一次電池４４とを、可撓性回路基板２０上に備え、粘着剤層１０と、可撓性回路基板２０と、可撓性シート５０とが、この順に積層されている。
【００４５】
第二実施形態の変形例の無線センサー装置２’は、可撓性回路基板２０と可撓性シート５０との間に、温度センサー４２１、湿度センサー、照度センサー、コントローラー４１及びアンテナ４３を保護する保護層３０を備え、図１７及び図１８に示す様に、保護層３０は、一次電池４４を収める空間が設けられるようにくり抜かれている。コイン型の一次電池４４の周辺において、可撓性回路基板２０と保護層３０との間に、再剥離性を有する第二の粘着剤層６０が挟まれている。
【００４６】
第二の粘着剤層６０は、ポリエステル基材の両面に粘着層を有するタイプのものであり、可撓性回路基板２０の側を汎用型の粘着面とし、可撓性シート５０及び保護層３０の側を再剥離型の粘着面としている。第二の粘着剤層６０は、片面再剥離型の両面粘着テープを使用しているので、コイン型の一次電池４４の周辺で、可撓性回路基板２０及び第二の粘着剤層６０を、可撓性シート５０及び保護層３０から剥がすことで、一次電池４４を容易に交換可能である。
【００４７】
［第三実施形態］
図７は、本発明に係る第三実施形態の無線センサー装置３を示す概略断面図であり、図８は、無線センサー装置３の無線センサー装置３の表側及び裏側を示す概略図であり、無線センサー装置３を人の手で貼付できることを示している。
【００４８】
無線センサー装置３は、可撓性シート５０の外周部に、無線センサー装置３を貼り付ける時に押圧可能な環状の押圧可能領域５０１が設けられ、押圧可能領域５０１は、温度センサー、湿度センサー、照度センサー４２３、コントローラー４１、アンテナ４３及び一次電池４０が、いずれも実装されない領域であり、押圧可能領域５０１にのみ、環状の第一の粘着剤層１２が積層されている。図８の左図に示すように、可撓性シート５０の環状の押圧可能領域５０１と、押圧可能領域５０１の内側の部品実装領域との境界を環状の点線で示してもよく、押圧可能領域５０１と部品実装領域とを環状に色分けしてもよい。
【００４９】
剥離シートを剥がして、無線センサー装置３を建物の壁や柱等の被着体に、粘着剤層１２で貼着して設置する時は、可撓性シート５０の環状の押圧可能領域５０１を人の手で押圧すればよい。環状の押圧可能領域５０１には、温度センサー、湿度センサー、照度センサー４２３、コントローラー４１、アンテナ４３及び一次電池４０が、いずれも実装されないので、これらの実装部品が破損するおそれを低減できる。
【００５０】
無線センサー装置３を建物の壁や柱等の被着体から剥がす時も、可撓性シート５０の外周部の押圧可能領域５０１の裏側にのみ、環状の第一の粘着剤層１２が積層されているので、第一の粘着剤層が無線センサー装置の下部の全面よりも第一の粘着剤層の接着面積が小さいので容易に剥がすことができる。また、無線センサー装置３は、照度センサー４２３に対応する可撓性シート５０の位置に、照度を正しく計測するために、照度センサー用小窓４２８が設けられている。
【００５１】
図９は、本発明の第三実施形態の変形例の無線センサー装置４を示す概略断面図である。無線センサー装置４は、無線センサー装置３と同様に、可撓性シート５０の外周部に、無線センサー装置３を貼り付ける時に押圧可能な環状の押圧可能領域５０１が設けられ、押圧可能領域５０１にのみ、環状の第一の粘着剤層１２が積層されている。そして、保護層３０の外周部付近が、温度センサー４２１、湿度センサー、照度センサー、コントローラー４１、アンテナ４３及び一次電池４０を保護する内側の領域よりも薄く、傾斜をもたせてあり、可撓性シート５０の押圧可能領域５０１と、内側の部品実装領域との境界が、可撓性シート５０することで容易に区別できるようになっている。可撓性シート５０の傾斜領域と内側の部品実装領域とを色分けしてもよく、押圧可能領域５０１と部品実装領域とを色分けしてもよい。
【００５２】
図１０は、本発明の第三実施形態の変形例の無線センサー装置５を示す概略断面図である。無線センサー装置５は、無線センサー装置４と同様に、可撓性シート５０の外周部に、無線センサー装置３を貼り付ける時に押圧可能な押圧可能領域５０１が設けられ、押圧可能領域５０１にのみ、環状の第一の粘着剤層１２が積層されている。そして、保護層３０の外周部付近が、温度センサー４２１、湿度センサー、照度センサー、コントローラー４１、アンテナ４３及び一次電池４０を保護する内側の領域よりも薄く、傾斜をもたせてあり、かつ、保護層３０よりも可撓性シート５０及び可撓性回路基板２０が環状の外周部に拡がっており、環状の押圧可能領域５０１において、可撓性シート５０、可撓性回路基板２０及び第一の粘着剤層１２が直接積層されている構造となっている。
【００５３】
［第四実施形態］
図１１は、本発明の第四実施形態の無線センサー装置６を示す概略断面図である。無線センサー装置６は、支え部材４２６を介して浮いた状態で設けられた温湿度センサー４２７と、照度センサー４２３と、温湿度センサー４２７及び照度センサー４２３からの出力値を処理するコントローラー４１と、コントローラー４１からの信号を無線発信するアンテナ４３と、一次電池４０とを、可撓性回路基板２０上に備え、粘着剤層１０と、可撓性回路基板２０と、可撓性シート５０とが、この順に積層されている。温湿度センサー４２７、照度センサー４２３、コントローラー４１、アンテナ４３及び一次電池４０は、可撓性回路基板２０及び可撓性シート５０に挟まれている。温湿度センサー４２７が、支え部材４２６を介して、可撓性回路基板２０から離れた状態で設けられているので、可撓性回路基板２０からの影響を少なくすることができ、正確な温湿度を計測することができる。また、温湿度センサー４２７が、支え部材４２６及び粘着剤層１０を介して、可撓性回路基板２０及び被着体から離れた状態で設けられることになるので、可撓性回路基板２０及び被着体からの影響を少なくすることができ、正確な温湿度を計測することができる。更に、無線センサー装置６は外気窓を備えており、温湿度センサー４２７は、外気の温湿度を正確に計測できるよう、外気窓に通じている。
【００５４】
［第五実施形態］
図１２は、本発明の第五実施形態の無線センサー装置７を示す概略断面図である。無線センサー装置７は、温度センサー４２１と、湿度センサーと、照度センサーと、温度センサー４２１、湿度センサー及び照度センサーからの出力値を処理するコントローラー４１と、コントローラー４１からの信号を無線発信するアンテナ４３と、一次電池４０とを、可撓性回路基板２０上に備え、粘着剤層１０と、可撓性シート５０と、可撓性回路基板２０とが、この順に積層されている。温度センサー４２１、湿度センサー、照度センサー、コントローラー４１、アンテナ４３及び一次電池４０は、可撓性回路基板２０及び可撓性シート５０に挟まれている。温度センサー４２１及び湿度センサーが、可撓性シート５０及び粘着剤層１０を介して、被着体から離れた状態で設けられることになるので、被着体からの影響を少なくすることができ、正確な温湿度を計測することができる。
【００５５】
［第六実施形態］
本発明の第六実施形態の無線センサー装置は、前記第一の粘着剤層よりも大きい接着面積を有する第三の粘着剤層及び基材シートを有する粘着シートを、更に備え、前記第一の粘着剤層は、前記基材シートの背面に積層されている。
【００５６】
図１３は、第六実施形態の無線センサー装置８を示す概略断面図である。無線センサー装置８は、無線センサー装置１に、更に、第一の粘着剤層１０よりも大きい接着面積を有する第三の粘着剤層６２及び基材シート６４を有する粘着シート６６を備え、第一の粘着剤層１０は、粘着シート６６の背面の基材シート６４に積層されている。基材シート６４、第三の粘着剤層６２及び剥離シート７１は同じ形状、同じ大きさである。第三の粘着剤層６２は第一の粘着剤層１０よりも大きい接着面積を有するので、建物の壁や柱等の被着体が例えば防汚コーティングされて接着性に難があっても、第三の粘着剤層６２で貼着させて容易に設置することができる。
【００５７】
第三の粘着剤層は、市販の工業用両面粘着テープを使用することができ、再剥離型の工業用両面粘着テープを使用することがより好ましい。第三の粘着剤層は、例えば、ポリエステル基材の両面に粘着層を有するタイプのものであってもよく、基材を有さないノンキャリアタイプのものであってもよい。第三の粘着剤層のうち、両方の側の面を再剥離型の粘着面としてもよく、可撓性回路基板２０の側を汎用型の粘着面とし、他方の側を再剥離型の粘着面とすることが特に好ましい。これにより、建物の壁などに長期間貼着した後に剥がす際も、貼着していた建物の壁紙などを傷付けずに、容易にきれいに剥がすことができる。
【００５８】
図１４は、本発明の第六実施形態の変形例の無線センサー装置９を示す概略断面図である。無線センサー装置９は、無線センサー装置４に、更に、環状の第一の粘着剤層１２よりも大きい接着面積を有する第三の粘着剤層６２及び基材シート６４を有する粘着シート６６を備え、第一の粘着剤層１２は、粘着シート６６の背面の基材シート６４に積層されている。環状の第一の粘着剤層１２の外形と第三の粘着剤層６２の外形は、同じ形状、同じ大きさである。基材シート６４、第三の粘着剤層６２及び剥離シート７１は同じ形状、同じ大きさである。第三の粘着剤層６２は第一の粘着剤層１２よりも大きい接着面積を有するので、建物の壁や柱等の被着体が例えば防汚コーティングされて接着性に難があっても、第三の粘着剤層６２で貼着させて容易に設置することができる。
【００５９】
［第七実施形態］
本発明の第七実施形態の無線センサー装置キットは、温度センサー、湿度センサー、照度センサー、その他各種環境条件をセンシングするセンサーからなる群から選択される少なくとも一のセンサー、前記センサーからの出力値を処理するコントローラー、前記コントローラーからの信号を無線発信するアンテナ及び一次電池が、可撓性回路基板及び可撓性シートに挟まれてなる無線センサー装置と、前記無線センサー装置を被着体に装着させるための第一の粘着剤層と、を備える。
【００６０】
図１５は、第七実施形態の無線センサー装置キット８０を示す概略図である。無線センサー装置キット８０は、温度センサー、湿度センサー、照度センサー、センサーからの出力値を処理するコントローラー、コントローラーからの信号を無線発信するアンテナ及び一次電池が、可撓性回路基板及び可撓性シート５０に挟まれてなる無線センサー装置９０と、無線センサー装置９０を被着体に装着させるための粘着剤層１０と、を備える。
【００６１】
無線センサー装置キット８０の粘着剤層１０は、例えば、重剥離セパレーター上に粘着剤層１０を形成した後に軽剥離セパレーターが貼合された形態で提供される。軽剥離セパレーターを剥離して、粘着剤層１０を無線センサー装置９０に貼着すれば、第一実施形態の無線センサー装置１、第二実施形態の無線センサー装置２、第四実施形態の無線センサー装置６又は第六実施形態の無線センサー装置８と同様になり、重剥離セパレーターを剥がして被着体に装着することができる。
【００６２】
図１６は、本発明の第七実施形態の変形例の無線センサー装置キット８２を示す概略図である。無線センサー装置キット８２は、温度センサー、湿度センサー、照度センサー、コントローラー、アンテナ及び一次電池が、可撓性回路基板及び可撓性シート５０に挟まれてなる無線センサー装置９２と、無線センサー装置９２を被着体に装着させるための環状の第一の粘着剤層１２と、第一の粘着剤層１２よりも大きい接着面積を有する第三の粘着剤層及び基材シートを有する粘着シート６６とを備える。
【００６３】
無線センサー装置キット８２の第一の粘着剤層１２は、例えば、重剥離セパレーター上に第一の粘着剤層１２を形成した後に軽剥離セパレーターが貼合された形態で提供される。軽剥離セパレーターを剥離して、第一の粘着剤層１２を無線センサー装置９２に貼着すれば、第三実施形態の無線センサー装置３、無線センサー装置４、無線センサー装置５と同様になり、重剥離セパレーターを剥がして被着体に装着することができる。
【００６４】
無線センサー装置キット８２の粘着シート６６は、例えば、重剥離セパレーター上に第三の粘着剤層６２を形成した後に基材シート６４に貼合された形態で提供される。第一の粘着剤層１２が無線センサー装置９２に貼着された第三実施形態の無線センサー装置３の重剥離セパレーターを剥がして、第一の粘着剤層１２を粘着シート６６の背面の基材シート６４に貼着すれば、第六実施形態の変形例の無線センサー装置９と同様になり、重剥離セパレーター（すなわち、剥離シート７１）を剥がして被着体に装着することができる。建物の壁や柱等の被着体が例えば防汚コーティングされて接着性に難があっても、大きい接着面積を有する第三の粘着剤層６２で貼着させて容易に設置することができる。あらかじめ、建物の壁や柱等の被着体に粘着シート６６を貼着した後に、粘着シート６６の背面の基材シート６４に、第一の粘着剤層１２を介して、無線センサー装置９２を装着してもよい。
【００６５】
以上で説明した各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【符号の説明】
【００６６】
１，２，２’，３，４，５，６，７，８，９・・・無線センサー装置、１０，１２・・・粘着剤層（第一の粘着剤層）、２０，２２・・・可撓性回路基板、３０・・・保護層、４０，４４・・・一次電池、４１・・・コントローラー、４２１・・・温度センサー、４２２・・・湿度センサー、４２３・・・照度センサー、４２４・・・インジケーター、４２５・・・外気窓、４２６・・・支え部材、４２７・・・温湿度センサー、４２８・・・照度センサー用小窓、４３・・・アンテナ、５０・・・可撓性シート、５０１・・・可撓性シートの押圧可能領域、６０・・・再剥離性を有する第二の粘着剤層、６２・・・第三の粘着剤層、６４・・・基材シート、６６・・・粘着シート、７０，７１・・・剥離シート、８０，８２・・・無線センサー装置キット、９０，９２・・・無線センサー装置
【図１】
2019155732.tif 000003
【図２】
2019155732.tif 000004
【図３】
2019155732.tif 000005
【図４】
2019155732.tif 000006
【図５】
2019155732.tif 000007
【図６】
2019155732.tif 000008
【図７】
2019155732.tif 000009
【図８】
2019155732.tif 000010
【図９】
2019155732.tif 000011
【図１０】
2019155732.tif 000012
【図１１】
2019155732.tif 000013
【図１２】
2019155732.tif 000014
【図１３】
2019155732.tif 000015
【図１４】
2019155732.tif 000016
【図１５】
2019155732.tif 000017
【図１６】
2019155732.tif 000018
【図１７】
2019155732.tif 000019
【図１８】
2019155732.tif 000020
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
支え部材を介して浮いた状態で設けられた温湿度センサーと、前記温湿度センサーからの出力値を処理するコントローラーと、前記コントローラーからの信号を無線発信するアンテナと、一次電池とを、可撓性回路基板上に備え、
第一の粘着剤層と、前記可撓性回路基板と、可撓性シートとが、この順に積層されて、
前記温湿度センサー、前記コントローラー、前記アンテナ及び前記一次電池が、前記可撓性回路基板及び前記可撓性シートに挟まれ、
前記温湿度センサーが、支え部材を介して可撓性回路基板及び被着体から離れる状態で設けられている無線センサー装置。
【請求項２】
前記第一の粘着剤層が再剥離性を有する、請求項１に記載の無線センサー装置。
【請求項３】
少なくとも前記温湿度センサー、前記コントローラー及び前記アンテナを保護する保護層を備える、請求項１又は２に記載の無線センサー装置。
【請求項４】
前記保護層が、前記可撓性回路基板と前記可撓性シートとの間に積層されている、請求項３に記載の無線センサー装置。
【請求項５】
前記一次電池がコイン型一次電池である、請求項１〜４のいずれか一項に記載の無線センサー装置。
【請求項６】
前記可撓性回路基板と、前記可撓性シートとの間に、再剥離性を有する第二の粘着剤層を備え、前記一次電池を交換可能に備える、請求項１〜５のいずれか一項に記載の無線センサー装置。
【請求項７】
前記可撓性回路基板と前記第二の粘着剤層との間に、少なくとも前記センサー、前記コントローラー及び前記アンテナを保護する保護層を備え、前記保護層及び前記第二の粘着剤層が、前記一次電池を収める空間が設けられるようにくり抜かれている、請求項６に記載の無線センサー装置。
【請求項８】
前記コントローラーが、前記温湿度センサーのセンシングタイミング、及び、前記信号の送信タイミングを制御する機能を有する、請求項１〜７のいずれか一項に記載の無線センサー装置。
【請求項９】
前記可撓性シートの外周部又は前記可撓性回路基板の外周部に、前記無線センサー装置を貼り付ける時に押圧可能な押圧可能領域が設けられ、前記押圧可能領域は前記センサー、前記コントローラー、前記アンテナ及び前記一次電池が、いずれも実装されない領域であり、前記押圧可能領域にのみ、前記第一の粘着剤層が積層されている、請求項１〜８のいずれか一項に記載の無線センサー装置。
【請求項１０】
前記第一の粘着剤層と、前記可撓性シートと、前記可撓性回路基板とが、この順に積層されてなり、
前記センサー、前記コントローラー、前記アンテナ及び前記一次電池が、前記可撓性回路基板及び前記可撓性シートに挟まれてなる、請求項１〜９のいずれか一項に記載の無線センサー装置。
【請求項１１】
前記第一の粘着剤層よりも大きい接着面積を有する第三の粘着剤層及び基材シートを有する粘着シートを、更に備え、
前記第一の粘着剤層は、前記基材シートの背面に積層されている、請求項１〜１０のいずれか一項に記載の無線センサー装置。
【請求項１２】
支え部材を介して浮いた状態で設けられた温湿度センサーと、前記温湿度センサーからの出力値を処理するコントローラーと、前記コントローラーからの信号を無線発信するアンテナと、一次電池とを、可撓性回路基板上に備え、
記可撓性回路基板と、可撓性シートとが、積層されて、
前記温湿度センサー、前記コントローラー、前記アンテナ及び前記一次電池が、前記可撓性回路基板及び前記可撓性シートに挟まれ、
前記温湿度センサーが、支え部材を介して可撓性回路基板及び被着体から離れる状態で設けられている無線センサー装置と、
前記無線センサー装置を被着体に装着させるための第一の粘着剤層と、
を備える無線センサー装置キット。
【請求項１３】
前記第一の粘着剤層よりも大きい接着面積を有する第三の粘着剤層及び基材シートを有する粘着シートを、更に備える、請求項１２に記載の無線センサー装置キット。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
建物に設置される無線センサー装置であって、
支え部材を介して浮いた状態で設けられた温湿度センサーと、前記温湿度センサーからの出力値を処理するコントローラーと、前記コントローラーからの信号を無線発信するアンテナと、一次電池とを、可撓性回路基板上に備え、
第一の粘着剤層と、前記可撓性回路基板と、可撓性シートとが、この順に積層されて、
前記温湿度センサー、前記コントローラー、前記アンテナ及び前記一次電池が、前記可撓性回路基板及び前記可撓性シートに挟まれ、
前記温湿度センサーが、支え部材を介して可撓性回路基板及び被着体から離れる状態で設けられている無線センサー装置。
【請求項２】
前記第一の粘着剤層が再剥離性を有する、請求項１に記載の無線センサー装置。
【請求項３】
少なくとも前記温湿度センサー、前記コントローラー及び前記アンテナを保護する保護層を備える、請求項１又は２に記載の無線センサー装置。
【請求項４】
前記保護層が、前記可撓性回路基板と前記可撓性シートとの間に積層されている、請求項３に記載の無線センサー装置。
【請求項５】
前記一次電池がコイン型一次電池である、請求項１〜４のいずれか一項に記載の無線センサー装置。
【請求項６】
前記可撓性回路基板と、前記可撓性シートとの間に、再剥離性を有する第二の粘着剤層を備え、前記一次電池を交換可能に備える、請求項１〜５のいずれか一項に記載の無線センサー装置。
【請求項７】
前記可撓性回路基板と前記第二の粘着剤層との間に、少なくとも前記センサー、前記コントローラー及び前記アンテナを保護する保護層を備え、前記保護層及び前記第二の粘着剤層が、前記一次電池を収める空間が設けられるようにくり抜かれている、請求項６に記載の無線センサー装置。
【請求項８】
前記コントローラーが、前記温湿度センサーのセンシングタイミング、及び、前記信号の送信タイミングを制御する機能を有する、請求項１〜７のいずれか一項に記載の無線センサー装置。
【請求項９】
前記可撓性シートの外周部又は前記可撓性回路基板の外周部に、前記無線センサー装置を貼り付ける時に押圧可能な押圧可能領域が設けられ、前記押圧可能領域は前記センサー、前記コントローラー、前記アンテナ及び前記一次電池が、いずれも実装されない領域であり、前記押圧可能領域にのみ、前記第一の粘着剤層が積層されている、請求項１〜８のいずれか一項に記載の無線センサー装置。
【請求項１０】
前記第一の粘着剤層と、前記可撓性シートと、前記可撓性回路基板とが、この順に積層されてなり、
前記センサー、前記コントローラー、前記アンテナ及び前記一次電池が、前記可撓性回路基板及び前記可撓性シートに挟まれてなる、請求項１〜９のいずれか一項に記載の無線センサー装置。
【請求項１１】
前記第一の粘着剤層よりも大きい接着面積を有する第三の粘着剤層及び基材シートを有する粘着シートを、更に備え、
前記第一の粘着剤層は、前記基材シートの背面に積層されている、請求項１〜１０のいずれか一項に記載の無線センサー装置。
【請求項１２】
建物に設置される無線センサー装置のキットであって、
支え部材を介して浮いた状態で設けられた温湿度センサーと、前記温湿度センサーからの出力値を処理するコントローラーと、前記コントローラーからの信号を無線発信するアンテナと、一次電池とを、可撓性回路基板上に備え、
前記可撓性回路基板と、可撓性シートとが、積層されて、
前記温湿度センサー、前記コントローラー、前記アンテナ及び前記一次電池が、前記可撓性回路基板及び前記可撓性シートに挟まれ、
前記温湿度センサーが、支え部材を介して可撓性回路基板及び被着体から離れる状態で設けられている無線センサー装置と、
前記無線センサー装置を被着体に装着させるための第一の粘着剤層と、
を備える無線センサー装置キット。
【請求項１３】
前記第一の粘着剤層よりも大きい接着面積を有する第三の粘着剤層及び基材シートを有する粘着シートを、更に備える、請求項１２に記載の無線センサー装置キット。
【手続補正２】
【補正対象書類名】明細書
【補正対象項目名】０００８
【補正方法】変更
【補正の内容】
【０００８】
本発明は、以下の態様を包含するものである。
［１］  建物に設置される無線センサー装置であって、
支え部材を介して浮いた状態で設けられた温湿度センサーと、前記温湿度センサーからの出力値を処理するコントローラーと、前記コントローラーからの信号を無線発信するアンテナと、一次電池とを、可撓性回路基板上に備え、
第一の粘着剤層と、前記可撓性回路基板と、可撓性シートとが、この順に積層されて、
前記温湿度センサー、前記コントローラー、前記アンテナ及び前記一次電池が、前記可撓性回路基板及び前記可撓性シートに挟まれ、
前記温湿度センサーが、支え部材を介して可撓性回路基板及び被着体から離れる状態で設けられている無線センサー装置。
［２］  前記第一の粘着剤層が再剥離性を有する、前記［１］に記載の無線センサー装置。
【手続補正３】
【補正対象書類名】明細書
【補正対象項目名】０００９
【補正方法】変更
【補正の内容】
【０００９】
［３］  少なくとも前記温湿度センサー、前記コントローラー及び前記アンテナを保護する保護層を備える、前記［１］又は［２］に記載の無線センサー装置。
［４］  前記保護層が、前記可撓性回路基板と前記可撓性シートとの間に積層されている、前記［３］に記載の無線センサー装置。
［５］  前記一次電池がコイン型一次電池である、前記［１］〜［４］のいずれか一項に記載の無線センサー装置。
［６］  前記可撓性回路基板と、前記可撓性シートとの間に、再剥離性を有する第二の粘着剤層を備え、前記一次電池を交換可能に備える、前記［１］〜［５］のいずれか一項に記載の無線センサー装置。
【手続補正４】
【補正対象書類名】明細書
【補正対象項目名】００１１
【補正方法】変更
【補正の内容】
【００１１】
［８］  前記コントローラーが、前記温湿度センサーのセンシングタイミング、及び、前記信号の送信タイミングを制御する機能を有する、前記［１］〜［７］のいずれか一項に記載の無線センサー装置。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
［１０］  前記第一の粘着剤層と、前記可撓性シートと、前記可撓性回路基板とが、この順に積層されてなり、
前記センサー、前記コントローラー、前記アンテナ及び前記一次電池が、前記可撓性回路基板及び前記可撓性シートに挟まれてなる、前記［１］〜［９］のいずれか一項に記載の無線センサー装置。
【手続補正８】
【補正対象書類名】明細書
【補正対象項目名】００１６
【補正方法】変更
【補正の内容】
【００１６】
［１１］  前記第一の粘着剤層よりも大きい接着面積を有する第三の粘着剤層及び基材シートを有する粘着シートを、更に備え、
前記第一の粘着剤層は、前記基材シートの背面に積層されている、前記［１］〜［１０］のいずれか一項に記載の無線センサー装置。
【手続補正９】
【補正対象書類名】明細書
【補正対象項目名】００１７
【補正方法】変更
【補正の内容】
【００１７】
［１２］    建物に設置される無線センサー装置のキットであって、
支え部材を介して浮いた状態で設けられた温湿度センサーと、前記温湿度センサーからの出力値を処理するコントローラーと、前記コントローラーからの信号を無線発信するアンテナと、一次電池とを、可撓性回路基板上に備え、
記可撓性回路基板と、可撓性シートとが、積層されて、
前記温湿度センサー、前記コントローラー、前記アンテナ及び前記一次電池が、前記可撓性回路基板及び前記可撓性シートに挟まれ、
前記温湿度センサーが、支え部材を介して可撓性回路基板及び被着体から離れる状態で設けられている無線センサー装置と、
前記無線センサー装置を被着体に装着させるための第一の粘着剤層と、
を備える無線センサー装置キット。
【手続補正１０】
【補正対象書類名】明細書
【補正対象項目名】００１８
【補正方法】変更
【補正の内容】
【００１８】
［１３］  前記第一の粘着剤層よりも大きい接着面積を有する第三の粘着剤層及び基材シートを有する粘着シートを、更に備える、前記［１２］に記載の無線センサー装置キット。
【手続補正書】
【提出日】令和1年12月12日(2019.12.12)
【手続補正１】
【補正対象書類名】特許請求の範囲
【補正対象項目名】請求項１０
【補正方法】変更
【補正の内容】
【請求項１０】
建物に設置される無線センサー装置であって、
温湿度センサーと、前記温湿度センサーからの出力値を処理するコントローラーと、前記コントローラーからの信号を無線発信するアンテナと、一次電池とを、可撓性回路基板上に備え、
第一の粘着剤層と、可撓性シートと、前記可撓性回路基板とが、この順に積層されてなり、
前記温湿度センサー、前記コントローラー、前記アンテナ及び前記一次電池が、前記可撓性回路基板及び前記可撓性シートに挟まれてなる無線センサー装置。
【手続補正２】
【補正対象書類名】明細書
【補正対象項目名】００１５
【補正方法】変更
【補正の内容】
【００１５】
［１０］  建物に設置される無線センサー装置であって、
温湿度センサーと、前記温湿度センサーからの出力値を処理するコントローラーと、前記コントローラーからの信号を無線発信するアンテナと、一次電池とを、可撓性回路基板上に備え、
第一の粘着剤層と、可撓性シートと、前記可撓性回路基板とが、この順に積層されてなり、
前記温湿度センサー、前記コントローラー、前記アンテナ及び前記一次電池が、前記可撓性回路基板及び前記可撓性シートに挟まれてなる無線センサー装置。
【国際調査報告】
2019155732.tif 000021
2019155732.tif 000022
2019155732.tif 000023
2019155732.tif 000024